(57)【要約】【課題】屋外に設置することができる信頼性の高い操作器を提供する。【解決手段】操作器１は、内側に収められる機器の機能を発揮させるための警備開始ボタン部１１１と、機器を操作するためのボリューム調整用孔１４０とを有するメインフレーム筐体１００と、メインフレーム筺体１００の前側を覆う前側筺体２００と、メインフレーム筺体１００の後側を覆う後側筺体３００とを有するカバー筺体１０とを備え、前側筺体２００は、前側筺体２００がメインフレーム筺体１００を覆う状態において、警備開始ボタン部１１１に対向する位置に警備開始ボタン部１１１の機能を維持するための警備開始ボタン２１０と、ボリューム調整用孔１４０に対向する位置にボリューム調整用孔１４０を塞ぐ調整用パッキン部材２６０とを備える。【選択図】図２
0003143330.tif 000002
【実用新案登録請求の範囲】
【請求項１】
内側に収められる機器の機能を発揮させるための発揮部と、前記機器を操作するための孔部とを有するメインフレーム筐体と、
前記メインフレーム筺体の前側を覆う前側筺体と、前記メインフレーム筺体の後側を覆う後側筺体とを有するカバー筺体とを備え、
前記前側筺体は、前記前側筺体が前記メインフレーム筺体を覆う状態において、前記発揮部に対向する位置に前記発揮部の機能を維持するための維持部と、前記孔部に対向する位置に前記孔部を塞ぐパッキン部材とを備えることを特徴とする操作器。
【請求項２】
前記発揮部は、光を通すための透明フィルムと、前記機器を動作させるためのメンブレンスイッチと、液体を通さず音を通すための撥水メッシュとであり、
前記孔部は、音量を調整するためのボリューム調整用孔と、破壊検出スイッチを押すための破壊検出スイッチ用孔とであり、
前記維持部は、前記前側筺体が前記メインフレーム筺体を覆う状態において、前記透明フィルムに対向する位置に表示部と、前記メンブレンスイッチに対向する位置にボタンと、前記撥水メッシュに対向する位置にスピーカー用孔とであり、
前記パッキン部材は、前記前側筺体が前記メインフレーム筺体を覆う状態において、前記ボリューム調整用孔に対向する位置に調整用パッキン部材と、前記破壊検出スイッチに対向する位置にスイッチ用パッキン部材とであることを特徴とする請求項１に記載の操作器。
【請求項３】
前記後側筺体の内側の周囲に設けられ、前記後側筺体が前記メインフレーム筺体を覆う状態において前記メインフレーム筺体と前記後側筺体との隙間を塞ぐパッキン部品を備えることを特徴とする請求項１に記載の操作器。
【考案の詳細な説明】
【技術分野】
【０００１】
本考案は、機械警備用の遠隔操作器や、出入管理用読み取り装置などの操作器に関し、特に屋外に設置する場合に効果的な構造に関するものである。
【背景技術】
【０００２】
従来、屋内に設けられる機械警備用の遠隔操作器で警備システムの遠隔操作を行う場合、遠隔操作器の使用者が侵入者と間違われるのを防止するため、使用者が遠隔操作器を使用してから屋外に出るまで、警備システムの警備が開始されないように所定の時間を設定する必要がある。しかし、使用者がその設定時間以内に屋外に出られないことも多く、使用者が侵入者と間違われることによる誤報により警備員が出動するため、警備員の出動費用がかかり、コスト面で問題となっている。
【０００３】
そこで、操作器を屋外に設置することにより、使用者が屋外に出るまでの時間を気にする必要がなくなり、使用者が操作を確実に行い、安全に屋外に移動することができ、上記のような誤報も激減することが想定される。ところが、従来の操作器は、基本的に屋内に設けることを前提に構成されており、雨水や直射日光などの影響まで考慮したものはそれほど多くない（例えば、特許文献１参照）。
【特許文献１】特開平１１−２１０２８４号公報
【考案の開示】
【考案が解決しようとする課題】
【０００４】
操作器としての機能上、操作するためのボタンなどが必要となるため、操作器を屋外に設置する場合、そのボタンの隙間から雨水が浸入してしまう。そのため、操作器の電子基板などに雨水が付着して、操作器の故障の原因となる。このような雨水の浸入による操作器の故障は、警備システムの誤作動を引き起こす原因となる。また、直射日光による筺体を形成する樹脂の退色や劣化は、外観的に好ましいものとはいえない。そのため、操作器を屋外に設置した場合、操作器として機能的にも外観的にも問題となる。
【０００５】
一方、雨水が浸入しないようにするため、ボタンではなくフィルム状のメンブレンスイッチを設けて防水対策しているものがある。しかし、スイッチを押すことによる手ごたえがないなどの操作感があまり良くなく、使用者の爪などによるメンブレンスイッチの破損も多く見られることが判明している。そのため、操作器として機能的に問題となり、信頼性の確保に不安を残していた。
【０００６】
そこで本考案は、上記に鑑みてなされたものであって、屋外に設置することができる信頼性の高い操作器を提供することを目的とする。
【課題を解決するための手段】
【０００７】
本考案の操作器は、内側に収められる機器の機能を発揮させるための発揮部と、前記機器を操作するための孔部とを有するメインフレーム筐体と、前記メインフレーム筺体の前側を覆う前側筺体と、前記メインフレーム筺体の後側を覆う後側筺体とを有するカバー筺体とを備え、前記前側筺体は、前記前側筺体が前記メインフレーム筺体を覆う状態において、前記発揮部に対向する位置に前記発揮部の機能を維持するための維持部と、前記孔部に対向する位置に前記孔部を塞ぐパッキン部材とを備えることを特徴とする。
【０００８】
本考案によれば、メインフレーム筺体とカバー筺体との二重構造である。二重構造であるが、二重構造の外側であるカバー筺体に維持部を設けているため、カバー筺体でメインフレーム筺体を覆った状態でも、操作器を動作させることができ、内側に収められる機器の機能を発揮させることができる。また、操作器を屋外に設置した場合でも、孔部をパッキン部材で塞いでいるため、雨水などの液体がメインフレーム筺体の内側に入ることがなく、機器が故障するのを防止することができ、操作器としての機能を発揮し続けることができる。その結果、操作器の信頼性を高めることができる。また、二重構造であるため、直射日光による筺体を形成する樹脂の退色や劣化があっても、カバー筺体または前側筺体のみを交換するだけで、外観品質を保ち続けることができる。
【０００９】
本考案の機器の機能としては、光を発する機能、音を発する機能や設定を開始する機能などがある。また、本考案の発揮部としては、光を発する機能に対しては光を通すフィルムや樹脂などがあり、音を発する機能に対しては音を通す撥水メッシュやフィルムなどがあり、設定を開始する機能に対してはメンブレンスイッチや上側にフィルムを設けるボタンなどがある。さらに、本考案の維持部としては、光を通す機能に対しては光を通す樹脂や孔などがあり、音を通す機能に対しては孔やメッシュなどがあり、設定を開始する機能に対してはボタンや孔などがある。
【００１０】
本考案において、前記発揮部は、光を通すための透明フィルムと、前記機器を動作させるためのメンブレンスイッチと、液体を通さず音を通すための撥水メッシュとであり、前記孔部は、音量を調整するためのボリューム調整用孔と、破壊検出スイッチを押すための破壊検出スイッチ用孔とであり、前記維持部は、前記前側筺体が前記メインフレーム筺体を覆う状態において、前記透明フィルムに対向する位置に表示部と、前記メンブレンスイッチに対向する位置にボタンと、前記撥水メッシュに対向する位置にスピーカー用孔とであり、前記パッキン部材は、前記前側筺体が前記メインフレーム筺体を覆う状態において、前記ボリューム調整用孔に対向する位置に調整用パッキン部材と、前記破壊検出スイッチに対向する位置にスイッチ用パッキン部材とであることが望ましい。この態様によれば、前側筐体の警備開始ボタンおよび解除ボタンの隙間やスピーカー用孔などから雨水などの液体が前側筺体の内側に入るが、表示用透明フィルム、読み取り部透明フィルム、撥水メッシュ、調整用パッキン部材およびスイッチ用パッキン部材により、雨水などの液体がメインフレーム筐体の内側に入ることはない。そのため、機器が雨水などの液体によって操作器が故障に至ることはない。
【００１１】
本考案において、前記後側筺体の内側の周囲に設けられ、前記後側筺体が前記メインフレーム筺体を覆う状態において前記メインフレーム筺体と前記後側筺体との隙間を塞ぐパッキン部品を備えることが望ましい。この態様によれば、メインフレーム筺体と後側筺体との間に液体が入るのを防止することができる。
【考案の効果】
【００１２】
本考案によれば、屋外に設置することができる操作器の信頼性を高めることができる。
【考案を実施するための最良の形態】
【００１３】
以下、本考案の一実施形態について図面を参照して説明する。図１は、操作器を示す斜視図である。図２は、前側筺体を離間させた場合を示す斜視図である。図３は、後側筺体を離間させた場合を示す斜視図である。
【００１４】
（操作器全体の構成）
操作器１は、図２に示すように、メインフレーム筐体１００と、カバー筐体１０とを備えている。操作器１は、図１に示すように、メインフレーム筺体１００がカバー筺体１０に覆われており、メインフレーム筺体１００とカバー筺体１０との二重構造である。操作器１は、後述するスイッチ１７０を下側にして、建物の外壁などの屋外に設置される。操作器１は、図示省略した操作器１の使用者に操作されることにより、警備システムを遠隔操作するための装置である。
【００１５】
（カバー筐体の構成）
カバー筐体１０は、操作器１の体裁面となる前側筐体２００と、後側筐体３００とにより構成されている。カバー筺体１０は、前側筺体２００と後側筺体３００とが嵌合することにより、メインフレーム筺体１００を覆う状態となる。前側筺体２００は、図２に示すように、メインフレーム筺体１００の前側を覆った状態から矢印Ａ方向にメインフレーム筺体１００から離間させることが可能である。また、後側筺体３００は、図３に示すように、メインフレーム筺体１００の後側を覆った状態から矢印Ｂ方向にメインフレーム筺体１００から離間させることが可能である。
【００１６】
カバー筐体１０は、難燃性を重視した樹脂で形成される。そのため、いたずらによる放火などにより、操作器１が容易に破損するのを防止することができる。また、難燃性を重視した樹脂で形成した場合、耐候性に劣るが、二重構造となっているため、カバー筐体１０の退色や劣化などがあった場合でも、カバー筐体１０またはカバー筐体１０の前側筐体２００のみを交換するだけで、外観品質を保ち続けることができる。
【００１７】
（メインフレーム筐体の構成）
メインフレーム筐体１００には、基板などの図示省略した機器が内側に収められている。メインフレーム筐体１００は、内側に収められている機器を保護するための部材である。メインフレーム筐体１００は、機器の機能を発揮させるための発揮部を有している。メインフレーム筺体１００は、発揮部として、表示用透明フィルム１１０と、読み取り部透明フィルム１２０と、撥水メッシュ１３０とを有している。
【００１８】
メインフレーム筐体１００には、機器を操作するための孔部が形成されている。メインフレーム筺体１００には、孔部として、ボリューム調整用孔１４０と、破壊検出スイッチ用孔１５０とが形成されている。また、メインフレーム筐体１００には、ねじ取付孔１６０と、スイッチ１７０とが設けられている。
【００１９】
表示用透明フィルム１１０は、メインフレーム筐体１００の前側に設けられている。また、表示用透明フィルム１１０は、内側に収められている機器の発光ダイオードが設けられている位置に対応する位置に設けられている。表示用透明フィルム１１０は、発光ダイオードの光を通すための透明フィルムである。表示用透明フィルム１１０は、光を通すことにより発光ダイオードを機能させている。また、表示用透明フィルム１１０は、メンブレンスイッチの機能も兼ねている。表示用透明フィルム１１０は、警備開始ボタン部１１１と、解除ボタン部１１２とを有している。警備開始ボタン部１１１および解除ボタン部１１２は、メンブレンスイッチである。発光ダイオードは、所定の場合に点灯する。
【００２０】
ここで、メインフレーム筺体１００の内側に収められている機器の機能を発揮させるための発揮部について、発揮部の一つである表示用透明フィルム１１０を用いて説明する。例えば、表示用透明フィルム１１０の設けられている位置に光を通さない樹脂が設けられている場合には、発光ダイオードの光を通さず、発光ダイオードの機能を発揮させることができない。そのため、表示用透明フィルム１１０は、発光ダイオードの光を通すための透明フィルムであることにより、発光ダイオードの機能を発揮させている。したがって、発揮部は、メインフレーム筺体１００の内側に収められている機器の機能を発揮させる。
【００２１】
読み取り部透明フィルム１２０は、メインフレーム筐体１００の前側に設けられている。また、読み取り部透明フィルム１２０は、内側に収められている機器の発光ダイオードおよび読み取り装置が設けられている位置に対応する位置に設けられている。読み取り部透明フィルム１２０は、操作燈の光を通すための透明フィルムである。読み取り部透明フィルム１２０は、光を通すことにより操作燈を機能させている。警備開始ボタン部１１１が押されると読み取り部透明フィルム１２０の内側の操作燈が光りだし、使用者がカードをかざすと読み取り装置がカードの内容を読み取る。
【００２２】
撥水メッシュ１３０は、メインフレーム筐体１００の前側に設けられている。また、撥水メッシュ１３０は、内側に収められている機器のスピーカーが設けられている位置に対応する位置に設けられている。撥水メッシュ１３０は、スピーカーが発する音を通し、雨水などの液体を通さない。撥水メッシュ１３０は、音を通すことによりスピーカーを機能させている。スピーカーは、「警備を開始します」や「カードをかざして下さい」などのガイダンスを行う。
【００２３】
ボリューム調整用孔１４０は、メインフレーム筐体１００の前側に設けられている。また、ボリューム調整用孔１４０は、内側に収められている機器の調整部５が設けられている位置に対応する位置に設けられている。ボリューム調整用孔１４０は、前側筐体２００を離間させた状態で調整部５を操作するための孔である。ボリューム調整用孔１４０は、前側筐体２００を離間させた状態で雨水などの液体がメインフレーム筐体１００の内側に入る部分である。調整部５は、マイナスドライバーなどにより、スピーカーの音量を調整するために操作される。
【００２４】
破壊検出スイッチ用孔１５０は、メインフレーム筐体１００の前側に設けられている。また、破壊検出スイッチ用孔１５０は、内側に収められている機器の破壊検出スイッチ６が設けられている位置に対応する位置に設けられている。破壊検出スイッチ用孔１５０は、破壊検出スイッチ６を操作するための孔である。破壊検出スイッチ用孔１５０は、前側筐体２００を離間させた状態で雨水などの液体がメインフレーム筐体１００の内側に入る部分である。
【００２５】
ねじ取付孔１６０は、メインフレーム筐体１００の三隅にそれぞれ設けられている。撥水メッシュ１３０付近に設けられているねじ取付孔１６０は、前側筺体２００をメインフレーム筺体１００に固定するための図示省略したねじを締結するための孔である。その他のねじ取付孔１６０は、後側筺体３００をメインフレーム筺体１００に固定するためのねじＳを挿入するための孔である。ねじ取付孔１６０は、ねじが挿入される部分であるため、雨水などの液体がメインフレーム筐体１００の内側に入らない部分である。
【００２６】
スイッチ１７０は、メインフレーム筺体１００の下側に設けられている。スイッチは、警備員が巡回するときなどに押される。なお、雨水などの液体がスイッチ１７０の周囲からメインフレーム筐体１００の内側に入る余地があるが、スイッチ１７０が操作器１の下側に設けられているので、雨水などの液体はメインフレーム筐体１００の内側に入ることはほとんどない。また、雨水などの液体がメインフレーム筐体１００の内側に入ったとしても、重力によりその孔から流れ出る。そのため、この部分にはパッキン部材などの設置を必要としない。しかし、スイッチ１７０の周囲に適宜パッキン部材を設けてもよい。
【００２７】
（前側筐体２００の構成）
前側筐体２００は、メインフレーム筺体１００の発揮部の機能を維持するための維持部を有している。前側筐体２００は、維持部として、警備開始ボタン（ボタン）２１０と、解除ボタン（ボタン）２２０と、ＬＥＤ表示部２３０と、表示部２４０と、スピーカー用孔２５０とを有している。前側筐体２００には、前側筺体２００がメインフレーム筺体１００を覆う状態において、メインフレーム筺体１００の孔部を塞ぐためのパッキン部材が設けられている。前側筐体２００には、パッキン部材として、調整用パッキン部材２６０およびスイッチ用パッキン部材２７０が設けられている。また、前側筺体２００は、取付孔２８０と、ねじ蓋２９０とを有している。
【００２８】
警備開始ボタン２１０は、前側筐体２００がメインフレーム筐体１００を覆う状態において、メインフレーム筺体１００の警備開始ボタン部１１１に対向する位置に設けられている。警備開始ボタン２１０は、雨水などの液体が警備開始ボタン２１０の周囲の孔から前側筺体２００の内側に入る部分である。警備開始ボタン２１０が使用者に押されることにより、メインフレーム筐体１００の警備開始ボタン部１１１が押される。これにより、
警備システムの設定を開始することができる。
【００２９】
ここで、メインフレーム筺体１００の発揮部の機能を維持する維持部について、維持部の一つである警備開始ボタン２１０を用いて説明する。例えば、警備開始ボタン２１０の設けられている位置に樹脂のカバーが設けられている場合には、警備開始ボタン部１１１を押すことができず、警備開始ボタン部１１１の機能を維持することができない。そのため、警備開始ボタン２１０は、ボタンとしての機能を有することにより、警備開始ボタン部１１１の機能を維持している。したがって、維持部は、メインフレーム筺体１００の発揮部の機能を維持する。
【００３０】
解除ボタン２２０は、前側筐体２００がメインフレーム筐体１００を覆う状態において、メインフレーム筺体１００の解除ボタン部１１２に対向する位置に設けられている。解除ボタン２２０は、雨水などの液体が解除ボタン２２０の周囲の孔から前側筺体２００の内側に入る部分である。解除ボタン２２０が使用者に押されることにより、メインフレーム筐体１００の解除ボタン１１２が押される。これにより、警備システムの警備状態を解除させるための設定を開始することができる。
【００３１】
このように二重構造の外側である前側筐体２００に警備開始ボタン２１０および解除ボタン２２０を設けているため、メンブレンスイッチ自体を使用者の指で押すよりも、メンブレンスイッチの上に接地したボタンを指で押す方が、操作感がよく、確実に動作させることができ、使用者の爪によるメンブレンスイッチの破損もなくなる。
【００３２】
ＬＥＤ表示部２３０は、前側筐体２００がメインフレーム筐体１００を覆う状態において、メインフレーム筺体１００の表示用透明フィルム１１０に対向する位置に設けられている。ＬＥＤ表示部２３０は、警備システムが警備状態である場合などの所定の場合に、発光ダイオードが点灯することによる光を通す。
【００３３】
表示部２４０は、前側筐体２００がメインフレーム筐体１００を覆う状態において、メインフレーム筺体１００の読み取り部透明フィルム１２０に対向する位置に設けられている。表示部２４０は、警備開始ボタン部１１１が押された場合などの所定の場合に、表示燈が点灯することによる光を通す。
【００３４】
スピーカー用孔２５０は、前側筐体２００がメインフレーム筐体１００を覆う状態において、メインフレーム筺体１００の撥水メッシュ１３０に対向する位置に設けられている。スピーカー用孔２５０は、スピーカーが発する音を通すための孔である。スピーカー用孔２５０は、雨水などの液体が前側筺体２００の内側に入る部分である。
【００３５】
調整用パッキン部材２６０は、前側筐体２００がメインフレーム筐体１００を覆う状態において、メインフレーム筺体１００のボリューム調整孔１４０に対向する位置の前側筐体２００の裏側に設けられている。調整用パッキン部材２６０は、前側筐体２００がメインフレーム筐体１００を覆う状態において、メインフレーム筺体１００のボリューム調整用孔１４０を塞ぐ。
【００３６】
スイッチ用パッキン部材２７０は、前側筐体２００がメインフレーム筐体１００を覆う状態において、メインフレーム筺体１００の破壊検出スイッチ用孔１５０に対向する位置で前側筐体２００の裏側に設けられている。スイッチ用パッキン部材２７０は、前側筐体２００がメインフレーム筐体１００を覆う状態において、メインフレーム筺体１００の破壊検出スイッチ用孔１５０を塞ぐとともに、破壊検出スイッチ６を押す。警備システムの警備状態において、前側筺体２００が破損などして前側筺体２００がメインフレーム筺体１００から離間すると、破壊検出スイッチ６が押されている状態が解除され、発報される。
【００３７】
調整用パッキン部材２６０およびスイッチ用パッキン部材２７０を設けているため、前側筐体２００がメインフレーム筐体１００を覆う状態において、雨水などの液体がボリューム調整用孔１４０および破壊検出スイッチ用孔１５０からメインフレーム筺体１００の内側に入らない。そのため、雨水などの液体により操作器１が故障するのを防止することができる。
【００３８】
取付孔２８０は、前側筐体２００がメインフレーム筐体１００を覆う状態において、撥水メッシュ１３０付近のねじ取付孔１６０に対向する位置に設けられている。取付孔２８０は、前側筐体２００をメインフレーム筐体１００に固定するためのねじを挿入するための孔である。ねじ蓋２９０は、図示省略したねじにより前側筐体２００をメインフレーム筐体１００に固定した後に、取付孔２８０を隠すための部材である。
【００３９】
（後側筐体３００の構成）
後側筐体３００は、メインフレーム筺体１００の後側を保護する部材である。また、後側筐体３００は、建物などの外壁に操作器１を取り付けるための部材である。後側筐体３００は、パッキン部品３１０と、ねじ孔３２０とを有している。
【００４０】
パッキン部品３１０は、後側筺体３００の内側の周囲に設けられている。パッキン部品３１０は、後側筺体３００がメインフレーム筺体１００を覆う状態において、メインフレーム筺体１００と後側筺体３００との隙間を塞ぐ。そのため、メインフレーム筺体１００と後側筺体３００との間に液体が入るのを防止することができる。
【００４１】
ねじ孔３２０は、後側筐体３００がメインフレーム筐体１００を覆う状態において、ねじ取付孔１６０に対応する位置に設けられている。ねじ孔３２０は、後側筺体３００をメインフレーム筺体１００に固定するためのねじＳを締結するための孔である。
【００４２】
（本実施形態の優位性）
本考案によれば、メインフレーム筺体１００とカバー筺体１０との二重構造である。二重構造であるが、二重構造の外側であるカバー筺体１０に維持部を設けているため、カバー筺体１０でメインフレーム筺体１００を覆った状態でも、操作器１を動作させることができ、内側に収められる機器の機能を発揮させることができる。また、操作器１を屋外に設置した場合でも、孔部をパッキン部材で塞いでいるため、雨水などの液体がメインフレーム筺体１００の内側に入ることがなく、機器が故障するのを防止することができ、操作器１としての機能を発揮することができる。その結果、操作器１の信頼性を高めることができる。
【００４３】
また、雨水などの液体が前側筐体２００の警備開始ボタン２１０および解除ボタン２２０の隙間やスピーカー用孔２５０などから前側筺体２００の内側に入るが、表示用透明フィルム１１０、読み取り部透明フィルム１２０、撥水メッシュ１３０、調整用パッキン部材２６０およびスイッチ用パッキン部材２７０を設けているため、雨水などの液体がメインフレーム筐体１００の内側に入ることはない。そのため、雨水などの液体によって操作器１が故障に至ることはない。
【産業上の利用可能性】
【００４４】
本考案は、機械警備用の遠隔操作機や、出入管理用読み取り装置などに利用することができる。
【図面の簡単な説明】
【００４５】
【図１】操作器を示す斜視図である。
【図２】前側筺体を離間させた場合を示す斜視図である。
【図３】後側筺体を離間させた場合を示す斜視図である。
【符号の説明】
【００４６】
１…操作器、６…破壊検出スイッチ、１０…カバー筺体、１００…メインフレーム筺体、１１０…表示用透明フィルム、１１１…警備開始ボタン部、１１２…解除ボタン部、１２０…読み取り部透明フィルム、１３０…撥水メッシュ、１４０…ボリューム調整用孔、１５０…破壊検出スイッチ用孔、２００…前側筺体、２１０…警備開始ボタン、２２０…解除ボタン、２３０…ＬＥＤ表示部、２４０…表示部、２５０…スピーカー用孔、２６０…調整用パッキン部材、２７０…スイッチ用パッキン部材、３００…後側筺体、３１０…パッキン部品。
【図１】
0003143330.tif 000003
【図２】
0003143330.tif 000004
【図３】
0003143330.tif 000005